【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
白色色温度を変更するように補正するものであって、３原色それぞれの発光強度を、変更可能な補正値で独立に補正する補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項２】
白色色温度を変更するように補正するものであって、３原色のそれぞれに対応する３つの色信号のそれぞれに対して、変更可能な補正値で補正を行う補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項３】
白色色温度を変更するように補正するものであって、被駆動素子を駆動して３原色それぞれの変調光を生じさせるための駆動信号として変更可能な補正値で補正された駆動信号が出力されるように補正を行う補正回路と、
３原色のそれぞれに対応する３つの色信号のそれぞれに対して、変更可能なマトリクス係数を用いたマトリクス演算を行って新たな３つの色信号を出力するマトリクス演算回路と、
前記補正値と前記マトリクス係数の一方の変更と他方の変更とが対応して生じるように制御を行う制御回路と、
を有することを特徴とする調整回路。
【請求項４】
請求項１乃至３のいずれか１項の調整回路であって、
前記補正値の変更が、色温度が低下する変更である場合に、それに対応して生じる前記マトリクス係数の変更が、色空間内での緑色の原点が赤よりにシフトする変更であることを特徴とする調整回路。
【請求項５】
請求項１乃至４のいずれか１項の調整回路と、
該調整回路から出力される３つの色信号に従って画像を表示する表示パネルと、
を備えることを特徴とする画像表示装置。
【請求項６】
請求項５に記載の画像表示装置と、
テレビ信号を受信して該画像表示装置に画像データを供給する受信回路と、
を含むことを特徴とするテレビジョン装置。
【請求項７】
白色色温度を変更するように補正するものであって、３原色それぞれの発光強度を、変更可能な補正値で独立に補正する補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように制御を行うことを特徴とする調整方法。
【請求項８】
白色色温度を変更するように補正するものであって、３原色のそれぞれに対応する３つの色信号のそれぞれに対して、変更可能な補正値で補正を行う補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように制御を行うことを特徴とする調整方法。
【請求項９】
白色色温度を変更するように補正するものであって、被駆動素子を駆動して３原色それぞれの変調光を生じさせるための駆動信号として変更可能な補正値で補正された駆動信号が出力されるように補正を行う補正ステップと、
３原色のそれぞれに対応する３つの色信号のそれぞれに対して、変更可能なマトリクス係数を用いたマトリクス演算を行って新たな３つの色信号を出力するマトリクス演算ステップと、
を有し、
前記補正値と前記マトリクス係数の一方の変更と他方の変更とが対応して生じるように制御を行うことを特徴とする調整方法。
【請求項１０】
請求項７乃至９のいずれか１項の調整方法であって、
前記補正値の変更が、色温度が低下する変更である場合に、それに対応する前記マトリクス係数の変更が、色空間内での緑色の原点が赤よりにシフトする変更であることを特徴とする調整方法。
【請求項１１】
白色色温度を変更するように補正するものであって、３原色の発光強度のそれぞれを、変更可能なゲイン係数で補正する補正回路、および、
３原色のそれぞれに対応する３つの色信号に対して、入力される３つの色信号および変更可能なマトリクス係数を用いたマトリクス演算を行って新たな３つの色信号を出力するマトリクス演算回路、および、
前記マトリクス係数と前記ゲイン係数が互いに連動して変化するような制御を行う制御回路、
を備える調整回路と、
前記調整回路から出力された３つの色信号に従って画像を表示する表示パネルと
を有する画像表示装置であって、
前記調整回路の制御回路は、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記調整回路の制御回路は、選択された色再現モードが第１の色再現モードから第２の色再現モードに変更された場合、変更された色再現モードを特徴づける白色色温度および色再現範囲が、ｘｙ色座標上で同一の方向に移動するような制御を行い、
前記調整回路の制御回路はユーザにより選択された色再現モードを含む色温度調整要求信号を受信し、前記選択された色再現モードに従って制御を行う
ことを特徴とする画像表示装置。
【請求項１２】
白色色温度を変更するように補正するものであって、３原色のそれぞれに対応する３つの色信号を、変更可能なゲイン係数で補正する補正回路、および、
３原色のそれぞれに対応する３つの色信号に対して、入力される３つの色信号および変更可能なマトリクス係数を用いたマトリクス演算を行って新たな３つの色信号を出力するマトリクス演算回路、および、
前記マトリクス係数と前記ゲイン係数が互いに連動して変化するような制御を行う制御回路、
を備える調整回路と、
前記調整回路から出力された３つの色信号に従って画像を表示する表示パネルと
を有する画像表示装置であって、
前記調整回路の制御回路は、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記調整回路の制御回路は、選択された色再現モードが第１の色再現モードから第２の色再現モードに変更された場合、変更された色再現モードを特徴づける白色色温度および色再現範囲が、ｘｙ色座標上で同一の方向に移動するような制御を行い、
前記調整回路の制御回路はユーザにより選択された色再現モードを含む色温度調整要求信号を受信し、前記選択された色再現モードに従って制御を行う
ことを特徴とする画像表示装置。
【請求項１３】
白色色温度を変更するように補正するものであって、被駆動素子を駆動して３原色それぞれの変調光を生じさせるための駆動信号として、ゲイン係数で補正された駆動信号が出力されるような補正を行う補正回路、および、
３原色のそれぞれに対応する３つの色信号に対して、入力される３つの色信号および変更可能なマトリクス係数を用いたマトリクス演算を行って新たな３つの色信号を出力するマトリクス演算回路、および、
前記マトリクス係数と前記ゲイン係数が互いに連動して変化するような制御を行う制御
回路、
を備える調整回路と、
前記調整回路から出力された３つの色信号に従って画像を表示する表示パネルと
を有する画像表示装置であって、
前記調整回路の制御回路は、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記調整回路の制御回路は、選択された色再現モードが第１の色再現モードから第２の色再現モードに変更された場合、変更された色再現モードを特徴づける白色色温度および色再現範囲が、ｘｙ色座標上で同一の方向に移動するような制御を行い、
前記調整回路の制御回路はユーザにより選択された色再現モードを含む色温度調整要求信号を受信し、前記選択された色再現モードに従って制御を行う
ことを特徴とする画像表示装置。
【請求項１４】
請求項１１〜１３のいずれか１項に記載の画像表示装置と、
テレビ信号を受信して前記画像表示装置に画像データを供給する受信回路と
を有するテレビジョン装置。
【請求項１５】
白色色温度を変更するように補正するものであって、３原色の発光強度のそれぞれを、変更可能なゲイン係数で補正する補正ステップ、および、
３原色のそれぞれに対応する３つの色信号に対して、入力される３つの色信号および変更可能なマトリクス係数を用いたマトリクス演算を行って新たな３つの色信号を出力するマトリクス演算ステップ、および、
前記マトリクス係数と前記ゲイン係数が互いに連動して変化するような制御を行う制御ステップ、
を備える調整方法であって、
前記制御ステップは、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記制御ステップは、選択された色再現モードが第１の色再現モードから第２の色再現モードに変更された場合、変更された色再現モードを特徴づける白色色温度および色再現範囲が、ｘｙ色座標上で同一の方向に移動するような制御を行う
ことを特徴とする調整方法。
【請求項１６】
白色色温度を変更するように補正するものであって、３原色のそれぞれに対応する３つの色信号を、変更可能なゲイン係数で補正する補正ステップ、および、
３原色のそれぞれに対応する３つの色信号に対して、入力される３つの色信号および変更可能なマトリクス係数を用いたマトリクス演算を行って新たな３つの色信号を出力するマトリクス演算ステップ、および、
前記マトリクス係数と前記ゲイン係数が互いに連動して変化するような制御を行う制御ステップ、
を備える調整方法であって、
前記制御ステップは、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記制御ステップは、選択された色再現モードが第１の色再現モードから第２の色再現モードに変更された場合、変更された色再現モードを特徴づける白色色温度および色再現範囲が、ｘｙ色座標上で同一の方向に移動するような制御を行う
ことを特徴とする調整方法。
【請求項１７】
白色色温度を変更するように補正するものであって、被駆動素子を駆動して３原色それぞれの変調光を生じさせるための駆動信号として、ゲイン係数で補正された駆動信号が出力されるような補正を行う補正ステップ、および、
３原色のそれぞれに対応する３つの色信号に対して、入力される３つの色信号および変更可能なマトリクス係数を用いたマトリクス演算を行って新たな３つの色信号を出力するマトリクス演算ステップ、および、
前記マトリクス係数と前記ゲイン係数が互いに連動して変化するような制御を行う制御ステップ、
を備える調整方法であって、
前記制御ステップは、第１の色再現モードと第２の色再現モードを含む複数の色再現モードから選択された色再現モードに対応したマトリクス係数とゲイン係数を用いて前記制御を行い、
前記複数の色再現モードのそれぞれは、固有の白色色温度および固有の色再現範囲で特徴づけられるものであり、
前記第１の色再現モードを特徴づける白色色温度および色再現範囲は、前記第２の色再現モードを特徴づける白色色温度および色再現範囲とはそれぞれ異なるものであり、
前記制御ステップは、選択された色再現モードが第１の色再現モードから第２の色再現モードに変更された場合、変更された色再現モードを特徴づける白色色温度および色再現範囲が、ｘｙ色座標上で同一の方向に移動するような制御を行う
ことを特徴とする調整方法。